(57)【要約】【課題】本発明は、光ディスク再生装置において、光ディスクの起動時間を速くすることを目的とするものである。【解決手段】本発明の光ディスク再生装置４は、光ディスク種別を判別するディスク判別部８と、再生パラメータを調整する再生パラメータ調整部９と、光ディスク種別情報と再生パラメータとを記憶するメモリ１０と、このメモリ１０に接続された制御部１９と、この制御部１９に接続された再生部１１とを備え、前記制御部１９は、光ディスク６が交換された場合に、交換後の光ディスク６を、メモリ１０に保存されている交換前の光ディスク６の光ディスク種別情報と再生パラメータを用いて起動させることができるか否かを判断する構成とした。【選択図】図２
2013137847.tif 000002
【特許請求の範囲】
【請求項１】
光ディスクの駆動手段と、この駆動手段によって駆動された光ディスクからデータを読取る信号読取手段と、この信号読取り手段からの信号によって光ディスク種別を判別するディスク判別手段と、前記信号読取手段と前記ディスク判別手段からの信号に基づいて前記信号読取手段内の再生パラメータを調整する再生パラメータ調整部と、前記ディスク判別手段で判別した光ディスク種別情報と再生パラメータ調整部で求めた再生パラメータとを記憶するメモリと、このメモリに接続された制御手段と、この制御手段と前記信号読取手段とに接続された再生手段とを備え、
前記制御手段は、光ディスクが交換された場合に、交換後の光ディスクを、メモリに保存されている交換前の光ディスクの光ディスク種別情報と再生パラメータを用いて起動させることができるか否かを判断する光ディスク再生装置。
【請求項２】
前記再生手段は、再生中の光ディスクから音楽情報を取得する音楽情報取得部を有し、前記制御手段は、前記音楽情報取得部で取得した音楽情報を前記メモリに記憶させ、再生中の光ディスクがディスクアンバウンド状態に遷移した場合に、前記メモリに記憶した音楽情報を前記再生手段で再生させる請求項１に記載の光ディスク再生装置。
【請求項３】
前記制御手段は、光ディスクが交換され、ディスクアンバウンド状態が解除された場合、前記メモリに記憶した音楽情報の再生を停止させる請求項２に記載の光ディスク再生装置。
【発明の詳細な説明】
【技術分野】
【０００１】
本発明は、光ディスク再生装置に関するものである。
【背景技術】
【０００２】
従来の光ディスク再生装置は、光ディスクの駆動手段と、この駆動手段によって駆動された光ディスクからデータを読取る信号読取手段と、この信号読取手段からの信号に基づいて光ディスク種別を判別するディスク判別手段と、前記信号読取手段と前記ディスク判別手段からの信号に基づいて前記信号読取手段内の再生パラメータを調整する再生パラメータ調整部と、制御手段と、この制御手段と前記信号読取手段とに接続された再生手段とを備えた構成となっている。
【０００３】
上記のような光ディスク再生装置においては、光ディスクを交換する度にディスク判別手段による光ディスク種別を判別し、再生パラメータ調整部で再生パラメータを調整しなければならず、起動時間が長くかかっていた。
【０００４】
ディスクの交換時に起動時間が長くなることは、例えば下記特許文献１にも記載されており、この特許文献１では、ＣＤ（登録商標）チェンジャー内の各ディスクの最初の曲のイントロ部分の音楽データを予めメモリに記憶し、ディスクの交換開始時にメモリに記憶されているイントロ部分の音楽データを読み出す装置について記載されている。
【先行技術文献】
【特許文献】
【０００５】
【特許文献１】特開２００３−８５０５４号公報
【発明の概要】
【発明が解決しようとする課題】
【０００６】
上記従来例においては、ディスクを交換しているときに発生する無音状態をなくすために、ディスクを交換する際、あらかじめ記憶していたディスクのイントロ部分を流す構成としているが、光ディスクを交換する度にディスク判別手段による光ディスク種別を判別し、再生パラメータ調整部で再生パラメータを調整しなければならなかった。その結果、起動に時間が長くなっていた。
【０００７】
そこで本発明は、光ディスクの起動時間を短くすることを目的とする。
【課題を解決するための手段】
【０００８】
そして、この目的を達成するために本発明は、光ディスクの駆動手段と、この駆動手段によって駆動された光ディスクからデータを読取る信号読取手段と、この信号読取り手段からの信号に基づいて光ディスク種別を判別するディスク判別手段と、前記信号読取手段と前記ディスク判別手段からの信号に基づいて前記信号読取手段内の再生パラメータを調整する再生パラメータ調整部と、前記ディスク判別手段で判別した光ディスク種別情報と再生パラメータ調整部で求めた再生パラメータとを記憶するメモリと、このメモリに接続された制御手段と、この制御手段と前記信号読取手段とに接続された再生手段とを備え、前記制御手段は、光ディスクが交換された場合に、交換後の光ディスクを、メモリに保存されている交換前の光ディスクの光ディスク種別情報と再生パラメータを用いて起動させることができるか否かを判断する構成とし、これにより所期の目的を達成するものである。
【発明の効果】
【０００９】
以上のように、本発明は、光ディスクが交換された場合に、交換後の光ディスクがメモリに保存されている交換前の光ディスクの光ディスク種別情報と再生パラメータを用いて起動できるか否かを、制御手段が判断する構成としたものであるので、光ディスクの起動時間を短くすることができる。
【００１０】
すなわち、本発明においては、光ディスクが交換された際、メモリに保存されている交換前の光ディスクの光ディスク種別情報と再生パラメータを用いて起動させることができるか否かを判断し、起動できると判断した場合には、再度光ディスク種別情報を取得し、再生パラメータを調整することなく光ディスクを起動させることができ、光ディスク内のコンテンツを再生させることが出来る。
【００１１】
このため、起動時間の短縮が図れ、光ディスクの起動時間を短くすることができるものとなるのである。
【図面の簡単な説明】
【００１２】
【図１】本発明の実施の形態における光ディスク再生装置を搭載した車両の一部を示す正面図
【図２】同光ディスク再生装置の制御ブロック図
【図３】同光ディスク再生装置の動作フローチャート
【図４】同光ディスク再生装置の動作フローチャート
【図５】同光ディスク再生装置の動作フローチャート
【発明を実施するための形態】
【００１３】
以下、本発明の実施の形態を添付図面を用いて説明する。
【００１４】
（実施の形態１）
図１において、１は車両を示し、この車両１の車内２の前方にはハンドル３が設けられている。また、このハンドル３の左手前方には、光ディスク再生装置４の本体ケース５が設けられている。
【００１５】
図２は、光ディスク再生装置４を示し、本体ケース５内には、ディスク駆動部（図示せず）と、このディスク駆動部で駆動される光ディスク６から情報を読み取る信号読出部７と、信号読出部７から読み取った信号をもとに光ディスク種別を判別するディスク判別部８と、信号読出部７からの信号をもとに再生パラメータを調整する再生パラメータ調整部９とを備えている。
【００１６】
ここで、ディスク判別部８で判別した光ディスク種別情報と、再生パラメータ調整部９が調整した再生パラメータは、ディスク判別部８と再生パラメータ調整部９に接続されているメモリ１０に記憶される。
【００１７】
さらに、信号読出部７は、再生部１１と接続され、この再生部１１は、モニタ１２およびスピーカ１３と通信可能に接続されている。なお、接続形態は有線であっても無線であっても良い。また、図２に示す使用形態では、モニタ１２の数もスピーカ１３の数も１つであるが、複数存在してもよい。
【００１８】
また、この再生部１１に接続され、光ディスク６のコンテンツに含まれるＪａｖａ（登録商標）アプリケーションを制御するＪａｖａ（登録商標）アプリ制御部１４は、信号読出部７がＪａｖａ（登録商標）アプリケーションの一つであるディスクアンバウンド機能のアプリケーションを読み取ると、接続しているディスクアンバウンド実行部１５にディ
スクアンバウンド機能を実行させる。この機能は、具体的には、ディスク交換要求画面をモニタ１２に表示させ、ユーザに対して手動で光ディスク６の交換を促す機能である。
【００１９】
さらに、再生部１１には、オーディオ情報取得部１６が接続され、このオーディオ情報取得部１６は、再生中の光ディスク６の音楽情報を取得して、メモリ１０に記憶する。そして、ディスクアンバウンド実行部１５がディスクアンバウンド機能を実行している間、オーディオ情報読出部１７がメモリ１０に記憶されているオーディオ情報を読み出し、再生部１１を介してスピーカ１３から音楽等のオーディオ情報を流す。
【００２０】
また、メモリ１０には再生パラメータ読出部１８が接続され、メモリ１０に記憶された再生パラメータを信号読出部７に出力する。
【００２１】
制御部１９は、これら各構成部（信号読出部７、ディスク判別部８、再生パラメータ調整部９、メモリ１０、再生部１１、モニタ１２、スピーカ１３、Ｊａｖａ（登録商標）アプリ制御部１４、ディスクアンバウンド実行部１５、オーディオ情報取得部１６、オーディオ情報読出部１７、再生パラメータ読出部１８）に接続され、これらを全て制御しているが、図面の煩雑化を避けるため、各構成部との接続は省略する。
【００２２】
以上の構成において、光ディスク再生装置４にディスクアンバウンド機能を有する光ディスク６を挿入すると（図３のＳ１）、ディスク判別部８が光ディスク６の光ディスク種別を判別する（図３のＳ２）。
【００２３】
具体的には、ディスク判別部８は、ＢＤ（登録商標）（Ｂｌｕ−ｒａｙ  Ｄｉｓｃ）、ＤＶＤ（登録商標）（Ｄｉｇｉｔａｌ  Ｖｅｒｓａｔｉｌｅ  Ｄｉｓｃ）、あるいは、ＣＤ（登録商標）（Ｃｏｍｐａｃｔ  Ｄｉｓｃ）等の光ディスク種別を判別する。
【００２４】
そして、ディスク判別部８が光ディスク種別を判別すると、再生パラメータ調整部９は、再生パラメータの調整を行う（図３のＳ３）。この再生パラメータは、例えば、光ディスクの記録層の傾斜値等のサーボパラメータである。
【００２５】
このとき、ディスク判別部８が判別した光ディスク種別と再生パラメータ調整部９が調整した再生パラメータ値をメモリ１０に保存する（図３のＳ４）。
【００２６】
そして、制御部は１９は、光ディスク６のＢＤ（登録商標）−Ｊａｖａ（登録商標）アプリケーションを起動させ（図３のＳ５）、光ディスク６内のコンテンツを再生する（図３のＳ６）。
【００２７】
また、光ディスク６のコンテンツを再生しているとき、オーディオ情報取得部１６は、再生中の音楽情報を取得する（図３のＳ７）。この音楽情報とは、例えば、メインメニュー表示時に流れる音楽であったり、本編最初のチャプター開始５０秒間に流れるＢＧＭであったり、最終チャプタ開始時５０秒間に流れるエンドロールの音楽情報である。
【００２８】
そして、制御部１９は、オーディオ情報取得部１６が取得した音楽情報をメモリ１０に保存する。
【００２９】
ここで、光ディスク再生装置４で再生している光ディスク６のコンテンツが、例えば、長編映画であり、ユーザー操作、又は、光ディスク６内の所定位置を再生することにより、ディスクアンバウンド状態に遷移した場合（図４のＳ９）、モニタ１２には、ディスク交換要求画面が表示されるとともに、メモリ１０に記憶した音楽情報を再生部１１を介してスピーカ１３に出力し、記憶した音楽を流す（図４のＳ１０）。
【００３０】
そして、ユーザは、ディスク交換要求画面の表示に従い、光ディスク６を光ディスク再生装置４から排出させ（図４のＳ１１）、次の光ディスク６を光ディスク再生装置４に挿入する（図４のＳ１２）。
【００３１】
このとき、再生パラメータ読出部１８は、前回再生していた光ディスク６の光ディスク種別情報と再生パラメータをメモリ１０から読み出し、これらの値を信号読出部７の読取設定値として設定する（図４のＳ１３）。
【００３２】
そして、制御部１９は、新たに挿入された光ディスク６を信号読出部７で読取動作を行い、光ディスク６のＪａｖａ（登録商標）アプリケーションを正常に起動できるか否かを判断する（図４のＳ１４）。
【００３３】
図４のＳ１４において、光ディスク６のＪａｖａ（登録商標）アプリケーションを正常に起動できた場合、光ディスク再生装置４のディスクアンバウンド状態を解除する（図５のＳ１５）。すなわち、制御部１９は、ディスク交換要求画面の表示をモニタ１２から消去し、メモリ１０に記憶していた音楽の再生を停止する（図５のＳ１６）。そして、制御部１９は、メモリ１０に記憶していた音楽情報をメモリ１０から削除する（図５のＳ１７）。
【００３４】
また、制御部１９は、新たに挿入された光ディスク６が、排出した光ディスク６で指定された光ディスク６であるか否かを判断する（図５のＳ１８）。つまり、新たに挿入された光ディスク６が、交換前の光ディスク６の続編である場合、次に入れるべき光ディスク６を示すディスク固有ＩＤが交換前の光ディスク６に保存されているので、制御部１９は、このディスク固有ＩＤをメモリ１０に保存し、新たな光ディスク６が挿入されたときに、このＩＤと新たな光ディスク６のＩＤが一致するか否かを判断する。
【００３５】
図５のＳ１８において、新たに挿入された光ディスク６が、排出した光ディスク６で指定された光ディスク６であると制御部１９が判断した場合、メモリ１０に記憶されている光ディスク種別情報と再生パラメータの保存を維持し（図５のＳ１９）、新たに挿入された光ディスク６のコンテンツを再生する（図５のＳ２０）。
【００３６】
図５のＳ１８において、新たに挿入された光ディスク６が、排出した光ディスク６で指定された光ディスク６でないと制御部１９が判断した場合、新たに挿入された光ディスク６のコンテンツを再生する（図５のＳ２１）。
【００３７】
また、図４のＳ１４において、制御部１９が新たに挿入された光ディスク６を信号読出部７で読取動作を行い、光ディスク６のＪａｖａ（登録商標）アプリケーションを正常に起動できなかった場合、メモリ１０に記憶されている光ディスク種別情報と再生パラメータを削除し（図４のＳ２２）、ディスク判別部８は光ディスク６の光ディスク種別を判別するとともに、再生パラメータ調整部９は再生パラメータ値の調整を行う（図４のＳ２３）。
【００３８】
以上の如く本実施形態においては、制御部１９が、光ディスク６が交換された場合に、交換後の光ディスク６を、メモリ１０に保存されている交換前の光ディスク６の光ディスク種別情報と再生パラメータを用いて起動させることができるか否かを判断する構成としたものであるので、光ディスク６の起動時間を速くすることができるものとなる。
【００３９】
このため、例えば、光ディスク６が２枚組みの長編映画である場合に、映画前編用の光ディスク６を再生している途中でディスクアンバウンド状態となり、光ディスク６を交換
する必要となった際には、映画の続きを見るために後編用の光ディスク６を挿入しても、光ディスク再生装置４は、再度光ディスク種別情報を取得し直したり、再生パラメータを調整し直さずに済むため、光ディスク６交換後の起動時間を速くすることができるものとなるのである。
【産業上の利用可能性】
【００４０】
以上のように、本発明は、光ディスクの駆動手段と、この駆動手段によって駆動された光ディスクからデータを読取る信号読取手段と、この信号読取り手段からの信号によって光ディスク種別を判別するディスク判別手段と、前記信号読取手段と前記ディスク判別手段からの信号に基づいて前記信号読取手段内の再生パラメータを調整する再生パラメータ調整部と、前記ディスク判別手段で判別した光ディスク種別情報と再生パラメータ調整部で求めた再生パラメータとを記憶するメモリと、このメモリに接続された制御手段と、この制御手段と前記信号読取手段とに接続された再生手段とを備え、前記制御手段は、光ディスクが交換された場合に、交換後の光ディスクを、メモリに保存されている交換前の光ディスクの光ディスク種別情報と再生パラメータを用いて起動させることができるか否かを判断する構成としたものであるので、光ディスクの起動時間を速くすることができる。
【００４１】
すなわち、制御部が、光ディスクが交換された場合に、交換後の光ディスクを、メモリに保存されている交換前の光ディスクの光ディスク種別情報と再生パラメータを用いて起動させることができるか否かを判断する構成としたものであるので、交換前の光ディスクの光ディスク種別情報と再生パラメータを用いて起動させることができるときには、再度光ディスク種別情報を取得し直したり、再生パラメータを調整し直さずに光ディスクを起動させることができるものとなる。
【００４２】
このため、光ディスク再生装置は、不要な情報の取得やパラメータを調整を行わずに済むため、光ディスクの起動時間を短縮することができるものとなるのである。
【００４３】
したがって、光ディスク再生装置としての活用が期待されるものとなる。
【符号の説明】
【００４４】
１  車両
２  車内
３  ハンドル
４  光ディスク再生装置
５  本体ケース
６  光ディスク
７  信号読出部
８  ディスク判別部
９  再生パラメータ調整部
１０  メモリ
１１  再生部
１２  モニタ
１３  スピーカ
１４  Ｊａｖａ（登録商標）アプリ制御部
１５  ディスクアンバウンド実行部
１６  オーディオ情報取得部
１７  オーディオ情報読出部
１８  再生パラメータ読出部
１９  制御部
【図１】
2013137847.tif 000003
【図２】
2013137847.tif 000004
【図３】
2013137847.tif 000005
【図４】
2013137847.tif 000006
【図５】
2013137847.tif 000007